(57)【要約】
【課題】  石の輝きを増すための石のカット法や光の入り方の工夫には限度があるため、石を上下２段にセットすることで、石をより一層輝かせ、尚且つ今までにはない神秘的な輝きをもたせる。
【解決手段】  本考案は、石座を上下２段式にし、上部下部の間には空間をもたせ光が入りやすくすることにより、その光を取り込むこと下部の石が輝き、その輝きと上下間の空間からはいる光を取り込む事で上部の石そのものの持つ性質以上の輝きを得る事ができる。
【選択図】  図１
0003101092.tif 000002
【実用新案登録請求の範囲】
【請求項１】
装飾品における石のセッティングについて、石を上下２段にセットすることで、下部にセットした石の輝きが上部にセットした石を通し、より一層輝くようにしたセッティングの方法。
【考案の詳細な説明】
【考案の詳細な説明】
【技術分野】
【０００１】  本考案は、装飾品における石のセッティングの方法に関するものである。
【背景技術】
【０００２】  石の輝きは  ▲１▼石そのもののもつ性質  ▼２▲石のカット法  ▲３▼光の入り方  により決まっていた。
【考案が解決しようとする課題】
【０００３】  石の輝きを増すために、石を大きくすることは容易だが、石のカット法や光の入り方の工夫には限度がある。従って、石を上下２段にセットすることで、石をより一層輝かせ、尚且つ今までその大きさとカットでは不可能であった神秘的な輝きをもたせる。
【課題を解決するための手段】
【０００４】  本考案は、石座を上下２段式にし、上部下部の間には空間をもたせ光が入りやすくすることにより、その光を取り込んだ下部の石が輝き、その輝きと上下間の空間からはいる光を取り込んだ上部の石が、より一層輝きを増す。
【考案を実施するための最良の形態】
【０００５】  本案件のセッティングが施された装飾品を身に着けることにより、光を多面から取り入れ、その取り入れた光により、様々な顔をもつ輝きを楽しめる。
【実施例】
【０００６】  以下、添付図面に従って一実施例を説明する。Ｉは１８金のリングの石座の上部にセッティングされたローズカットのダイヤモンド、ＩＩはＩの下部にセッティングされたブリリアンカットのダイヤモンドである。ＩとＩＩの間には光を取り入れる空間とＢの窓をつくり、Ｉは２の石座と１の爪で固定され、ＩＩは４の石座と３の爪で固定される（ただし、ＩＩは外観からは容易に見えないよう、セットする位置及び装飾を工夫している）。ＩＩのダイヤモンドはＢの窓から入る光を取り入れ、ＩＩそのものの持つ性質よりブリリアンシー（反射光）を発し、ファイア（虹彩）がプリズムのような光を分散させ、シンチレーション（光のフラッシュ効果）によって神秘的な輝きをだす。そしてこの効果による輝きと、Ｂの窓から入る光を取り入れ、Ｉのダイヤモンドが持つ性質以上の輝きを放ち、且つ今までにないニュアンスを生み出す。
【考案の効果】
【０００７】  上述の様に、本考案のセッティングは石を２段にセッティングすることで、その石のもつ性質、大きさ、カットだけでは不可能であった一層の輝きと今までにないニュアンスを生み出す。
【図面の簡単な説明】
【０００８】
【図１】  本考案のセッティング法を含む一実施例のリングのセッティングの構造を示す、図２Ａａ−Ａｂ部分の拡大断面図である。
【図２】  本考案のセッティング法を含む一実施例のリングを示す正面図である。
【符号の説明】
【０００９】  １  上部の石（Ｉ）をセッティングする１８金の爪
２  上部の石（Ｉ）をセッティングする１８金の石座
３  下部の石（ＩＩ）をセッティングする１８金の爪
４  下部の石（ＩＩ）をセッティングする１８金の石座
Ｉ  ローズカットのダイヤモンド
ＩＩ  ブリリアンカットのダイヤモンド
Ａａ−Ａｂ  図１の断面部分を指定する
Ｂ  光を取り入れるための窓
【図１】
0003101092.tif 000003
【図２】
0003101092.tif 000004
【手続補正書】
【提出日】平成15年11月20日(2003.11.20)
【手続補正１】
【補正対象書類名】明細書
【補正対象項目名】全文
【補正方法】変更
【補正の内容】
【考案の詳細な説明】
【考案の詳細な説明】
【技術分野】
【０００１】  本考案は、装飾品における石のセッティングの構造に関するものである。
【背景技術】
【０００２】  装飾品における石のセッティングは石本来の輝きを引き出すために  ▲１▼石そのもののもつ性質  ▲２▼石のカット法  ▲３▼光の入り方  を追及し考えられた構造となっていた。
【考案が解決しようとする課題】
【０００３】  石の輝きを増すために、石を大きくすることや石のカット法、光の入り方の工夫には限度がある。従って、石を上下２段にセットすることで、石をより一層輝かせ、尚且つ今までその大きさとカットでは不可能であった神秘的な輝きをもたせる。
【課題を解決するための手段】
【０００４】  本考案は、石座を上下２段式にし、上部下部の間には空間をもたせ光が入りやすくすることにより、その光を取り込んだ下部の石が輝き、その輝きと上下間の空間からはいる光を取り込んだ上部の石が、より一層輝きを増す。
【考案を実施するための最良の形態】
【０００５】  本案件のセッティングが施された装飾品を身に着けることにより、一旦石を通して増した輝きを多面から取り入れた光により、様々な顔をもつ輝きを楽しめる。
【実施例】
【０００６】  以下、添付図面に従って一実施例を説明する。Ｉは１８金のリングの石座の上部にセッティングされたローズカットのダイヤモンド、ＩＩはＩの下部にセッティングされたブリリアンカットのダイヤモンドである。ＩとＩＩの間には光を取り入れる空間とＢの窓をつくり、Ｉは２の石座と１の爪で固定され、ＩＩは４の石座と３の爪で固定される（ただし、ＩＩは外観からは容易に見えないよう、セットする位置及び装飾を工夫している）。ＩＩのダイヤモンドはＢの窓から入る光を取り入れ、ＩＩそのものの持つ性質よりブリリアンシー（反射光）を発し、ファイア（虹彩）がプリズムのような光を分散させ、シンチレーション（光のフラッシュ効果）によって神秘的な輝きをだす。そしてこの効果による輝きと、Ｂの窓から入る光を取り入れ、Ｉのダイヤモンドが持つ性質以上の輝きを放ち、且つ今までにないニュアンスを生み出す。
【考案の効果】
【０００７】  上述の様に、本考案のセッティングは石を２段にセッティングすることで、その石のもつ性質、大きさ、カットだけでは不可能であった一層の輝きと今までにないニュアンスを生み出す。
【図面の簡単な説明】
【図１】  本考案のセッティング法を含む一実施例のリングのセッティングの構造を示す、図２Ａａ−Ａｂ部分の拡大断面図である。
【図２】  本考案のセッティング法を含む一実施例のリングを示す正面図である。
【符号の説明】
１  上部の石（Ｉ）をセッティングする１８金の爪
２  上部の石（Ｉ）をセッティングする１８金の石座
３  下部の石（ＩＩ）をセッティングする１８金の爪
４  下部の石（ＩＩ）をセッティングする１８金の石座
Ｉ  ローズカットのダイヤモンド
ＩＩ  ブリリアンカットのダイヤモンド
Ａａ−Ａｂ  図１の断面部分を指定する
Ｂ  光を取り入れるための窓
【手続補正２】
【補正対象書類名】実用新案登録請求の範囲
【補正対象項目名】全文
【補正方法】変更
【補正の内容】
【実用新案登録請求の範囲】
【請求項１】
装飾品における石のセッティングについて、石を上下２段にセットすることで、下部にセットした石の輝きが上部にセットした石を通し、より一層輝くようにしたセッティングの構造。